(57)【要約】  遮断器（１）は、開閉機構部（１０）と、引き外し装置（２０）と、検出部（３０）と、駆動部（４０）と、本体ケース（７０）と、発光ダイオード（５０）と、点滅制御部（６０）とを備える。開閉機構部（１０）は、電路（４）を開閉する。引き外し装置（２０）は、開閉機構部（１０）を作動させる。検出部（３０）は、電路（４）の漏洩電流または通電電流の電流値を検出する。駆動部（４０）は、検出部（３０）の検出結果に基づいて、引き外し装置（２０）を駆動する。本体ケース（７０）は、開閉機構部（１０）、引き外し装置（２０）、検出部（３０）、および駆動部（４０）を覆う。発光ダイオード（５０）は、本体ケース（７０）の外部から見える位置に配置される。点滅制御部（６０）は、検出部（３０）によって検出された電流値に基づいて、発光ダイオード（５０）を点滅させる。
2020240754.tif 000002
【特許請求の範囲】
【請求項１】
電路を開閉する開閉機構部と、
前記開閉機構部を作動させる引き外し装置と、
前記電路の漏洩電流または通電電流の電流値を検出する検出部と、
前記検出部の検出結果に基づいて、前記引き外し装置を駆動する駆動部と、
前記開閉機構部、前記引き外し装置、前記検出部、および前記駆動部を覆う本体ケースと、
前記本体ケースの外部から見える位置に配置される一つの発光ダイオードと、
前記検出部によって検出された電流値に基づいて、前記一つの発光ダイオードを点滅させる点滅制御部と、を備える
ことを特徴とする遮断器。
【請求項２】
前記点滅制御部は、
前記検出部によって検出された電流値の感度電流設定値に対する比を算出する比算出部と、
前記比算出部によって算出された比に基づいて、前記一つの発光ダイオードを点滅させる駆動部と、を備える
ことを特徴とする請求項１に記載の遮断器。
【請求項３】
前記点滅制御部は、
ユーザによって設定されたユーザ設定値を記憶する記憶部と、
前記検出部によって検出された電流値が前記ユーザ設定値以上であるか否かを判定する状態判定部と、を備え、
前記駆動部は、
前記状態判定部によって前記検出部によって検出された電流値が前記ユーザ設定値以上であると判定された場合に、前記比算出部によって算出された比に基づいて、前記一つの発光ダイオードを点滅させる
ことを特徴とする請求項２に記載の遮断器。
【請求項４】
前記点滅制御部は、
前記感度電流設定値と前記電流値との比を前記一つの発光ダイオードの点灯時間と消灯時間との比として、前記一つの発光ダイオードを点滅させる
ことを特徴とする請求項２または３に記載の遮断器。
【請求項５】
前記点滅制御部は、
前記引き外し装置による前記開閉機構部の作動によって電路が遮断された状態では、前記一つの発光ダイオードの点滅を行わない
ことを特徴とする請求項１から４のいずれか一つに記載の遮断器。
【請求項６】
請求項１から５のいずれか一つに記載の遮断器と、
情報処理装置と、を備え、
前記情報処理装置は、
撮像部と、
前記撮像部による前記一つの発光ダイオードの撮像結果に基づいて、前記一つの発光ダイオードの点滅状態を前記漏洩電流の電流値または前記通電電流の電流値に変換する変換部と、
前記変換部によって変換された電流値を表示部に表示する表示処理部と、を備える
ことを特徴とする遮断器システム。
【請求項７】
請求項２から４のいずれか一つに記載の遮断器と、
情報処理装置と、を備え、
前記情報処理装置は、
撮像部と、
前記撮像部による前記一つの発光ダイオードの撮像結果に基づいて、前記一つの発光ダイオードの点滅状態を前記漏洩電流の電流値または前記通電電流の電流値に変換する変換部と、
前記変換部によって変換された電流値を表示部に表示する表示処理部と、を備え、
前記本体ケースの特定部分には、前記感度電流設定値を示す文字、またはコード化された前記感度電流設定値の情報を含む２次元コードが付されており、
前記変換部は、
前記撮像部によって前記特定部分が撮像された場合、前記撮像部による撮像結果に基づいて、前記感度電流設定値を判定し、判定した前記感度電流設定値に基づいて、前記一つの発光ダイオードの点滅状態を前記漏洩電流の電流値または前記通電電流の電流値に変換する
ことを特徴とする遮断器システム。
【請求項８】
前記特定部分は、前記撮像部によって前記一つの発光ダイオードと同時に撮像可能な位置に配置される
ことを特徴とする請求項７に記載の遮断器システム。
【請求項９】
前記特定部分には、感度切替スイッチのツマミと前記ツマミが移動可能な複数の位置の各々に対応して感度電流設定値を示す文字とが配置されており、
前記変換部は、
前記撮像部によって前記特定部分が撮像された場合、前記感度切替スイッチのツマミの位置に基づいて、前記感度電流設定値を判定する
ことを特徴とする請求項８に記載の遮断器システム。
【請求項１０】
前記２次元コードには、前記遮断器の出荷試験時に測定された前記遮断器の特性精度を示すコード化された情報が含まれており、
前記変換部は、
前記撮像部によって前記特定部分が撮像された場合、前記コード化された特性精度を示す情報に基づいて、前記遮断器の特性精度を判定し、判定した特性精度に基づく誤差補正を行った前記漏洩電流の電流値または前記通電電流の電流値を算出する
ことを特徴とする請求項７から９のいずれか一つに記載の遮断器システム。
【請求項１１】
コンピュータが行う情報処理方法であって、
検出部によって検出された電路の漏洩電流または通電電流の電流値に基づいて一つの発光ダイオードを点滅させる遮断器の前記一つの発光ダイオードを含む領域を撮像部によって撮像された動画像の情報を取得する取得ステップと、
前記取得ステップで取得された動画像の情報に基づいて、前記一つの発光ダイオードの点滅状態を前記漏洩電流の電流値または前記通電電流の電流値に変換する変換ステップと、
前記変換ステップによって変換された電流値を表示する表示ステップと、を含む
ことを特徴とする情報処理方法。
【請求項１２】
検出部によって検出された電路の漏洩電流または通電電流の電流値に基づいて一つの発光ダイオードを点滅させる遮断器の前記一つの発光ダイオードを含む領域を撮像部によって撮像された動画像の情報を取得する取得ステップと、
前記取得ステップで取得された動画像の情報に基づいて、前記一つの発光ダイオードの点滅状態を前記漏洩電流の電流値または前記通電電流の電流値に変換する変換ステップと、
前記変換ステップによって変換された電流値を表示する表示ステップと、をコンピュータに実行させる
ことを特徴とする情報処理プログラム。
【発明の詳細な説明】
【技術分野】
【０００１】
本発明は、電路の漏洩電流または過電流に基づいて電路を遮断する遮断器、遮断器システム、情報処理方法、および情報処理プログラムに関するものである。
【背景技術】
【０００２】
従来、電路の漏洩電流または過電流に基づいて電路を遮断する遮断器において、漏洩電流または通電電流の電流値を表示する技術が知られている。例えば、特許文献１には、漏洩電流の検出値が基準値を超えた場合に電路を遮断する漏洩遮断器において、漏洩電流の電流値を表示する技術が提案されている。
【先行技術文献】
【特許文献】
【０００３】
【特許文献１】特開２００３−２１７４３３号公報
【発明の概要】
【発明が解決しようとする課題】
【０００４】
従来の遮断器は、遮断器本体の正面から視認できる場所に液晶表示器または７セグメントＬＥＤ（Light  Emitting  Diode）などの表示器が配置され、かかる表示器によって計測値を文字またはグラフで表示する。規格上で仕様または特性の表示が義務付けられている遮断器の場合、遮断器本体の正面に表示器を配置すると、遮断器の仕様または特性を表示する範囲が狭くなり、仕様または特性を示す文字が小さくなる可能性がある。また、表示器をモジュール構造で遮断器の側面に付加し、遮断器の仕様または特性の表示エリアを妨げない位置に表示器を配置した場合、遮断器の外形が大きくなる。【０００５】
本発明は、上記に鑑みてなされたものであって、漏洩電流または通電電流の検出値を表示するスペースを小さくすることができる遮断器を得ることを目的とする。
【課題を解決するための手段】
【０００６】
上述した課題を解決し、目的を達成するために、本発明の遮断器は、開閉機構部と、引き外し装置と、検出部と、駆動部と、本体ケースと、一つの発光ダイオードと、点滅制御部とを備える。開閉機構部は、電路を開閉する。引き外し装置は、開閉機構部を作動させる。検出部は、電路の漏洩電流または通電電流の電流値を検出する。駆動部は、検出部の検出結果に基づいて、引き外し装置を駆動する。本体ケースは、開閉機構部、引き外し装置、検出部、および駆動部を覆う。一つの発光ダイオードは、本体ケースの外部から見える位置に配置される。点滅制御部は、検出部によって検出された電流値に基づいて、一つの発光ダイオードを点滅させる。
【発明の効果】
【０００７】
本発明によれば、漏洩電流または通電電流の検出値を表示するスペースを小さくすることができる、という効果を奏する。
【図面の簡単な説明】
【０００８】
【図１】本発明の実施の形態１にかかる遮断器の構成例を示す図
【図２】実施の形態１にかかる遮断器システムの構成例を示す図
【図３】実施の形態１にかかる遮断器の外観斜視図
【図４】実施の形態１にかかる遮断器の平面図
【図５】実施の形態１にかかる本体カバーを外した状態の遮断器の外観斜視図
【図６】図４に示すVI-VI線に沿った要部断面図
【図７】実施の形態１にかかるカバーを外した状態の遮断器の平面図
【図８】実施の形態１にかかる漏電検出回路ユニットの平面図
【図９】実施の形態１にかかるユニットカバーを外した状態の漏電検出回路ユニットの平面図
【図１０】実施の形態１にかかる遮断器の具体的構成の一例を示すブロック図
【図１１】実施の形態１にかかる点滅制御部の構成例を示す図
【図１２】実施の形態１にかかる点滅制御部による第１の点滅モードを説明するための図
【図１３】実施の形態１にかかる点滅制御部による第２の点滅モードを説明するための図
【図１４】実施の形態１にかかる点滅制御部による第３の点滅モードを説明するための図
【図１５】実施の形態１にかかる遮断器による処理の一例を示すフローチャート
【図１６】実施の形態１にかかる情報処理装置の構成例を示す図
【図１７】実施の形態１にかかる第２の点滅モードにおける点滅パターンと撮像部の撮像結果との関係を説明するための図
【図１８】実施の形態１にかかる第３の点滅モードにおけるデータの点滅パターンと撮像部の撮像結果との関係を説明するための図
【図１９】実施の形態１にかかる遮断器の特性表示エリアの一例を示す図
【図２０】実施の形態１にかかる遮断器の特性表示エリアの他の例を示す図
【図２１】実施の形態１にかかる遮断器に感度切替スイッチが設けられていない場合における特性表示エリアの一例を示す図
【図２２】実施の形態１にかかる遮断器に感度切替スイッチが設けられていない場合における特性表示エリアの他の例を示す図
【図２３】実施の形態１にかかる情報処理装置の表示部の表示画面の一例を示す図
【図２４】実施の形態１にかかる情報処理装置の表示部の表示画面の他の例を示す図
【図２５】実施の形態１にかかる情報処理装置の処理部による処理の一例を示すフローチャート
【図２６】実施の形態１にかかる遮断器のマイクロコンピュータのハードウェア構成の一例を示す図
【図２７】実施の形態１にかかる遮断器の具体的構成の他の例を示すブロック図
【発明を実施するための形態】
【０００９】
以下に、本発明の実施の形態にかかる遮断器、遮断器システム、情報処理方法、および情報処理プログラムを図面に基づいて詳細に説明する。なお、この実施の形態によりこの発明が限定されるものではない。
【００１０】
実施の形態１．
図１は、本発明の実施の形態１にかかる遮断器の構成例を示す図である。図１に示すように、実施の形態１にかかる遮断器１は、電源２と負荷３との間の電路４を開閉する開閉機構部１０と、開閉機構部１０を作動させる引き外し装置２０と、電路４の漏洩電流または通電電流の電流値を検出する検出部３０とを備える。
【００１１】
また、遮断器１は、検出部３０の検出結果に基づいて、引き外し装置２０を駆動する駆動部４０と、開閉機構部１０、引き外し装置２０、検出部３０、駆動部４０、および点滅制御部６０を覆う本体ケース７０とを備える。なお、検出部３０は、電路４の漏洩電流を検出するための零相変流器または通電電流の電流値を検出する変流器を備える。
【００１２】
そして、遮断器１は、本体ケース７０から外部に一部が露出する発光ダイオード５０と、検出部３０によって検出された電流値に基づいて、発光ダイオード５０を点滅させる点滅制御部６０とを備える。このように、実施の形態１にかかる遮断器１は、検出部３０によって検出された電流値に基づいて、一つの発光ダイオード５０の点滅を行う。そのため、漏洩電流または通電電流の電流値を表示するスペースを小さくすることができる。
【００１３】
したがって、例えば、規格上で遮断器１の仕様および特性の表示が義務付けられている場合において、漏洩電流または通電電流の電流値を表示するスペースによって仕様または特性を示す文字が小さくなることを抑制することができる。また、漏洩電流または通電電流の電流値を表示する表示器をモジュール構造によって遮断器本体の側面に付加する場合に比べて、遮断器１の小型化を図ることができる。また、漏洩電流または通電電流の電流値を表示するスペースが小さいため、遮断器１を容易に標準品と同じ形状にすることができ、これにより、例えば、配電盤または制御盤のパネルカットの形状が標準品と異なる形状になることを避けることができる。
【００１４】
以下、実施の形態１にかかる遮断器１を含む遮断器システムについて具体的に説明する。図２は、実施の形態１にかかる遮断器システムの構成例を示す図である。図２に示すように、実施の形態１にかかる遮断器システム２００は、上述した遮断器１と、情報処理装置１００とを備える。情報処理装置１００は、撮像部１１０および表示部１２０を備え、遮断器１における上述した発光ダイオード５０の点滅を撮像部１１０で撮像し、撮像した結果に基づいて、電路４の漏洩電流または通電電流の電流値を文字で表示部１２０に表示する。
【００１５】
まず、遮断器１の構成について具体的に説明する。図３は、実施の形態１にかかる遮断器の外観斜視図である。図４は、実施の形態１にかかる遮断器の平面図である。図５は、実施の形態１にかかる本体カバーを外した状態の遮断器の外観斜視図である。図６は、図４に示すVI-VI線に沿った要部断面図である。図７は、実施の形態１にかかるカバーを外した状態の遮断器の平面図である。
【００１６】
図３に示すように、遮断器１の本体ケース７０は、本体ベース７１と本体カバー７２を備える。また、図４および図５に示すように、遮断器１は、本体ケース７０の一端部に露出し、電源２に接続される複数の電源側接続端子１４と、本体ケース７０の他端部に露出し、負荷３に接続される複数の負荷側接続端子１５とを備える。
【００１７】
遮断器１の開閉機構部１０は、図６に示すように、固定接点１１と可動接点１２とを有する。固定接点１１と可動接点１２との接触によって電路４が閉状態になり、遮断器１がオン状態になる。また、固定接点１１と可動接点１２との開離によって電路４が開状態になり、遮断器１がオフ状態になる。遮断器１は、図３〜図６に示すように、ハンドル１３を有しており、かかるハンドル１３が手動で操作されることによって、固定接点１１と可動接点１２との接触または開離を行うことができる。
【００１８】
また、遮断器１は、図６および図７に示すように、開閉機構部１０に作用して遮断器１をオフ状態にするトリップバー１６を備える。また、遮断器１は、図６に示すように電路４に過電流または短絡電流が流れるとトリップバー１６を駆動する過電流引き外し装置１７と、電路４の漏洩電流に正比例する電流を出力する零相変流器３１とを備える。零相変流器３１は、検出部３０の一部を構成する。
【００１９】
また、遮断器１は、図５および図６に示すように、零相変流器３１から出力される電流信号に基づいて、引き外し装置２０を駆動したり、発光ダイオード５０を点滅したりする漏電検出回路ユニット８０を備える。漏電検出回路ユニット８０は、検出部３０のうち零相変流器３１を除く部分と、駆動部４０と、点滅制御部６０とを含む。
【００２０】
引き外し装置２０は、図６に示すように、アクチュエータ２１と、アクチュエータ２１を駆動する引き外しリレー２２とを備える。引き外しリレー２２は、漏電検出回路ユニット８０から引き外し信号が出力された場合にアクチュエータ２１を駆動し、アクチュエータ２１によってトリップバー１６を駆動させる。これにより、トリップバー１６が開閉機構部１０に作用して遮断器１がオフ状態になる。漏電検出回路ユニット８０は、電路４の漏洩電流の電流値が感度電流設定値以上になった場合に、引き外し装置２０へ引き外し信号を出力する。
【００２１】
ここで、漏電検出回路ユニット８０の構成について説明する。図８は、実施の形態１にかかる漏電検出回路ユニットの平面図であり、図９は、実施の形態１にかかるユニットカバーを外した状態の漏電検出回路ユニットの平面図である。
【００２２】
図８に示すように、漏電検出回路ユニット８０は、ユニットベース８１とユニットカバー８２とを含むユニットケース８３と、ユニットケース８３の内部に配置される電子回路部８４とを備える。電子回路部８４は、プリント配線基板８５を有しており、かかるプリント配線基板８５に複数の部品が実装される。
【００２３】
具体的には、図９に示すように、プリント配線基板８５には、上述した発光ダイオード５０と、発光ダイオード５０の電流を規定の電流値に抑制する抵抗５１と、引き外し装置２０および発光ダイオード５０などを制御するマイクロコンピュータ５２とが実装される。また、プリント配線基板８５には、漏電感度を切り替える感度切替スイッチ５３と、漏電遮断時間を切り替える動作時間切替スイッチ５４とが実装される。
【００２４】
図８に示すように、ユニットカバー８２には、開口８２ａ，８２ｂが形成される。発光ダイオード５０は、一部が開口８２ａから突出した状態で漏電検出回路ユニット８０に配置される。感度切替スイッチ５３および動作時間切替スイッチ５４は、開口８２ｂから露出した状態で漏電検出回路ユニット８０に配置される。
【００２５】
また、本体カバー７２には、図４に示すように、開口７２ａ，７２ｂ，７２ｃが形成された特性表示エリア５８を有する。発光ダイオード５０は、一部が開口７２ａから露出または突出した状態で遮断器１に配置される。感度切替スイッチ５３は、ツマミ５３ａが開口７２ｂから突出した状態で遮断器１に配置される。動作時間切替スイッチ５４は、開口７２ｃからツマミ５４ａが突出した状態で遮断器１に配置される。
【００２６】
なお、図４に示すように、遮断器１は、遮断器１が漏電発生時にトリップするかどうかのテストを行うためのテストボタン５５、および漏電発生を表示する漏電表示ボタン５６なども有している。漏電表示ボタン５６は、漏電発生時に遮断器１がトリップした場合に本体ケース７０から突出する。また、テストボタン５５は、遮断器１の漏電検出動作のテストを行う際に押下される。
【００２７】
マイクロコンピュータ５２は、零相変流器３１からの電流信号に基づいて、電路４の漏洩電流が感度電流設定値以上になったと判定すると、電路４の漏洩電流の電流値に基づいて発光ダイオード５０を点滅させる。発光ダイオード５０の点滅状態は、ユニットカバー８２の開口８２ａと本体カバー７２の開口７２ａを通して、遮断器１の正面上から視認することができる。
【００２８】
図１０は、実施の形態１にかかる遮断器の具体的構成の一例を示すブロック図である。図１０に示すように、遮断器１は、開閉機構部１０と、引き外し装置２０と、零相変流器３１と、トリガ回路４４と、発光ダイオード５０と、抵抗５１と、マイクロコンピュータ５２と、感度切替スイッチ５３と、漏電表示ボタン５６とを備える。また、遮断器１は、入力部５７と、電源回路９０とを備える。なお、図１０では、テストボタン５５の図示を省略している。
【００２９】
マイクロコンピュータ５２は、ＡＤ（Analogue-to-Digital）変換器３２と、実効値算出部３３とを備える。ＡＤ変換器３２は、零相変流器３１からのアナログの電流信号をデジタル信号に変換する。実効値算出部３３は、ＡＤ変換器３２から出力されるデジタル信号に基づいて電路４の漏洩電流の実効値Ｉａを算出する。
【００３０】
図１および図１０に示す検出部３０は、零相変流器３１、ＡＤ変換器３２、および実効値算出部３３を含む構成である。図１０に示す電路４は、３相電路である。なお、零相変流器３１とＡＤ変換器３２との間には、例えば、零相変流器３１の電流信号を電圧に変換する回路が設けられており、ＡＤ変換器３２は、電圧に変換された電流信号のアナログ値をデジタル値に変換する。
【００３１】
また、マイクロコンピュータ５２は、比較部４１と、感度電流値設定部４２と、トリップ出力部４３とを備える。比較部４１は、実効値算出部３３で算出された漏洩電流の実効値Ｉａと感度電流設定値Ｉｔｈとを比較する。感度電流値設定部４２は、感度切替スイッチ５３のツマミ５３ａの位置に対応する感度電流設定値Ｉｔｈを比較部４１に設定する。トリップ出力部４３は、比較部４１による比較結果に基づいて、漏洩電流の実効値Ｉａが感度電流設定値Ｉｔｈ以上である場合に、トリガ回路４４へトリップ信号を出力する。
【００３２】
トリガ回路４４は、トリップ出力部４３からトリップ信号が出力された場合、引き外し信号を引き外し装置２０へ出力する。引き外し装置２０は、トリップ出力部４３から引き外し信号が出力された場合に、トリップバー１６を介して開閉機構部１０を作動して電路４を閉状態から開状態へ変更する。図１に示す駆動部４０は、比較部４１、感度電流値設定部４２、トリップ出力部４３、およびトリガ回路４４を含む構成である。漏洩電流の実効値Ｉａは、電流値の一例である。
【００３３】
また、マイクロコンピュータ５２は、実効値算出部３３で算出された漏洩電流の実効値Ｉａに基づいて、発光ダイオード５０を点滅させる駆動信号Ｓｇを出力する点滅制御部６０を備える。点滅制御部６０は、例えば、遮断器１がオフ状態になっていない場合に、漏洩電流の実効値Ｉａに基づいて、発光ダイオード５０を点滅させる駆動信号Ｓｇを出力する。点滅制御部６０は、例えば、駆動部４０によって遮断器１がオフ状態になっている場合、駆動信号Ｓｇを出力しない。この場合、発光ダイオード５０は点灯しない。
【００３４】
また、点滅制御部６０は、ユーザによる入力部５７への操作によって設定された値であるユーザ設定値Ｉｓｅｔを記憶することができる。点滅制御部６０は、漏洩電流の実効値Ｉａがユーザ設定値Ｉｓｅｔ以上であり且つ遮断器１がオフ状態になっていない場合に、漏洩電流の実効値Ｉａに基づいて、発光ダイオード５０を点滅させる駆動信号Ｓｇを出力することができる。また、点滅制御部６０は、漏洩電流の実効値Ｉａがユーザ設定値Ｉｓｅｔ未満である場合、駆動信号Ｓｇを出力しない。これにより、漏洩電流の実効値Ｉａがユーザ設定値Ｉｓｅｔ未満の場合、発光ダイオード５０は点灯しない。
【００３５】
図１１は、実施の形態１にかかる点滅制御部の構成例を示す図である。図１１に示す点滅制御部６０は、記憶部６１と、状態判定部６２と、比算出部６３と、駆動部６４とを備える。記憶部６１は、ユーザによる入力部５７への操作に基づいて、ユーザ設定値Ｉｓｅｔを記憶する。
【００３６】
状態判定部６２は、漏洩電流の実効値Ｉａが感度電流設定値Ｉｔｈ未満である場合、漏洩電流の実効値Ｉａがユーザ設定値Ｉｓｅｔ以上であり且つ遮断器１がオン状態であるか否かを判定する。状態判定部６２は、漏洩電流の実効値Ｉａがユーザ設定値Ｉｓｅｔ以上であり且つ遮断器１がオン状態である場合に、比算出部６３および駆動部６４を動作させ、駆動部６４に発光ダイオード５０を点滅させる。状態判定部６２は、漏洩電流の実効値Ｉａがユーザ設定値Ｉｓｅｔ未満であるか遮断器１がオフ状態である場合、比算出部６３および駆動部６４を動作させず、発光ダイオード５０の消灯状態を維持する。
【００３７】
なお、状態判定部６２は、ユーザ設定値Ｉｓｅｔが設定されていない場合、遮断器１がオン状態であれば、比算出部６３および駆動部６４を動作させ、駆動部６４に発光ダイオード５０を点滅させる。また、状態判定部６２は、ユーザ設定値Ｉｓｅｔが設定されていない場合、遮断器１がオフ状態であれば、比算出部６３および駆動部６４を動作させず、発光ダイオード５０の消灯状態を維持する。
【００３８】
比算出部６３は、感度電流値設定部４２で設定された感度電流設定値Ｉｔｈに対する漏洩電流の実効値Ｉａの比Ｒａを算出する。駆動部６４は、比算出部６３によって算出された比Ｒａに応じた駆動信号Ｓｇを出力することによって、発光ダイオード５０を点滅させる。駆動部６４は、第１の点滅モード、第２の点滅モード、および第３の点滅モードを含む複数の点滅モードから選択される点滅モードによって発光ダイオード５０を点滅させることができる。
【００３９】
まず、第１の点滅モードについて説明する。図１２は、実施の形態１にかかる点滅制御部による第１の点滅モードを説明するための図である。図１２に示すように、駆動部６４は、第１の点滅モードが選択されている場合、比算出部６３によって算出された比Ｒａを発光ダイオード５０の点灯時間と消灯時間との比として発光ダイオード５０を点滅させる。すなわち、駆動部６４は、予め設定された期間Ｔ１において、「Ｒａ％」の時間は発光ダイオード５０を点灯させるために駆動信号Ｓｇを出力し、且つ「１００−Ｒａ％」の時間は発光ダイオード５０を消灯させるために駆動信号Ｓｇを出力しない。予め設定された期間Ｔ１は繰り返し到来する。
【００４０】
次に、第２の点滅モードについて説明する。図１３は、実施の形態１にかかる点滅制御部による第２の点滅モードを説明するための図である。第２の点滅モードでは、ヘッダとデータとを含む点滅フォーマットを用いて発光ダイオード５０の点滅が行われる。ヘッダは、予め設定された点滅パターンで規定され、データは、比Ｒａに応じた点滅パターンで規定される。
【００４１】
図１３に示すヘッダの点滅パターンは、時間ｔ１〜ｔ８において「０１１１１１１０」となる点滅パターンである。「０」は発光ダイオード５０の消灯を示し、「１」は発光ダイオード５０の点灯を示す。また、時間ｔ１〜ｔ８の各々の長さは、期間Ｔａ１の長さである。
【００４２】
図１３に示すデータの点滅パターンは、時間ｔ９〜ｔ１５において、７桁の２進数で比Ｒａを示す。「０」は発光ダイオード５０の消灯を示し、「１」は発光ダイオード５０の点灯を示す。例えば、比Ｒａが「１％」である場合、発光ダイオード５０の点滅パターンは、「００００００１」であり、比Ｒａが「５０％」である場合、発光ダイオード５０の点滅パターンは、「０１１００１０」である。また、比Ｒａが「９９％」である場合、発光ダイオード５０の点滅パターンは、「１１０００１１」である。
【００４３】
次に、第３の点滅モードについて説明する。図１４は、実施の形態１にかかる点滅制御部による第３の点滅モードを説明するための図である。第３の点滅モードでは、第２の点滅モードの場合と同様に、ヘッダとデータとを含む点滅フォーマットを用いて発光ダイオード５０の点滅が行われる。
【００４４】
図１４に示すヘッダの点滅パターンは、時間ｔ１〜ｔ４において「１０１０」となる点滅パターンである。「０」は発光ダイオード５０の消灯を示し、「１」は発光ダイオード５０の点灯を示す。また、時間ｔ１〜ｔ４の各々の長さは、期間Ｔａ２の長さである。期間Ｔａ２の長さは、例えば、期間Ｔａ１の長さと同じである。
【００４５】
図１４に示すデータは、時間ｔ５〜ｔ１４において、比Ｒａにおける１０の位を規定し、時間ｔ１７〜ｔ２６において、比Ｒａにおける１の位を規定する。「０」は発光ダイオード５０の消灯を示し、「１」は発光ダイオード５０の点灯を示す。また、時間ｔ５〜ｔ２８の各々の長さは、期間Ｔａ３の長さである。期間Ｔａ３の長さは、例えば、期間Ｔａ２の長さの３分の１である。
【００４６】
時間ｔ５〜ｔ１４において比Ｒａにおける１０の位が大きいほど発光ダイオード５０の点灯期間が長く、時間ｔ１７〜ｔ２６において比Ｒａにおける１の位が大きいほど発光ダイオード５０の点灯期間が長い。また、時間ｔ１５，ｔ１６，ｔ２７，ｔ２８は「０」である。比Ｒａにおける１０の位が１以上である場合、時間ｔ５は「１」であり、比Ｒａにおける１の位が１以上である場合、時間ｔ１７は「１」である。
【００４７】
例えば、比Ｒａが「１％」である場合、発光ダイオード５０の点滅パターンは、１０の位が「００００００００００」であり、１の位が「１１００００００００」である。また、比Ｒａが「４９％」である場合、発光ダイオード５０の点滅パターンは、１０の位が「１１１１１０００００」であり、１の位が「１１１１１１１１１１」である。また、比Ｒａが「９９％」である場合、発光ダイオード５０の点滅パターンは、１０の位が「１１１１１１１１１１」であり、１の位が「１１１１１１１１１１」である。
【００４８】
駆動部６４は、第３の点滅モードにおいて、１０の位が「０」である場合、時間ｔ５において「０」とし、１０の位が「０」でない場合、時間ｔ５において「１」とする。同様に、駆動部６４は、第３の点滅モードにおいて、１の位が「０」である場合、時間ｔ１７において「０」とし、１０の位が「０」でない場合、時間ｔ１７において「１」とする。これにより、後述するように、情報処理装置１００において、発光ダイオード５０の点滅状態から比Ｒａを精度よく検出することができる。
【００４９】
つづいて、遮断器１による処理を、フローチャートを用いて説明する。図１５は、実施の形態１にかかる遮断器による処理の一例を示すフローチャートである。なお、図１５に示す処理は、遮断器１がオン状態である場合に実行される。
【００５０】
図１５に示すように、遮断器１における検出部３０のＡＤ変換器３２は、零相変流器３１の電流信号をサンプリングすることで、漏洩電流の瞬時値をサンプリングする（ステップＳ１１）。検出部３０の実効値算出部３３は、サンプリングした漏洩電流の瞬時値に基づいて、漏洩電流の実効値Ｉａを算出する（ステップＳ１２）。
【００５１】
駆動部４０の比較部４１は、感度電流値設定部４２によって設定された感度電流設定値Ｉｔｈを読み出す（ステップＳ１３）。比較部４１は、漏洩電流の実効値Ｉａが感度電流設定値Ｉｔｈ以上であるか否かを判定する（ステップＳ１４）。点滅制御部６０の状態判定部６２は、比較部４１によって漏洩電流の実効値Ｉａが感度電流設定値Ｉｔｈ以上ではないと判定された場合（ステップＳ１４：Ｎｏ）、漏洩電流の実効値Ｉａがユーザ設定値Ｉｓｅｔ以上であるか否かを判定する（ステップＳ１５）。
【００５２】
点滅制御部６０の状態判定部６２は、漏洩電流の実効値Ｉａがユーザ設定値Ｉｓｅｔ以上であると判定した場合（ステップＳ１５：Ｙｅｓ）、駆動部６４が前回算出の比Ｒａに応じた駆動信号の初回１セット分を出力中であるか否かを判定する（ステップＳ１６）。ここで、初回１セット分について説明する。上述のとおり発光ダイオード５０は比Ｒａの情報を含む点滅を行うため、選択された点滅モードで点滅している。１セットは、比Ｒａの情報を含む点滅を行うのに最低限必要な発光ダイオード５０の点滅である。また、発光ダイオード５０の点滅は、１セットのみではなく繰り返して行われてよい。この場合、初回１セット分は、比Ｒａの情報を含む点滅を行うのに最低限必要な発光ダイオード５０の点滅の初回分を指す。
【００５３】
点滅制御部６０の比算出部６３は、状態判定部６２によって駆動部６４が前回算出の比Ｒａに応じた駆動信号の初回１セット分を出力中でないと判定された場合（ステップＳ１６：Ｎｏ）、感度電流設定値Ｉｔｈに対する漏洩電流の実効値Ｉａの比Ｒａを新たに算出する（ステップＳ１７）。なお、状態判定部６２によって駆動部６４が前回算出の比Ｒａに応じた駆動信号の初回１セット分を出力中でないと判定される場合には（ステップＳ１６：Ｎｏ）、初回１セット分が点滅済みの場合だけでなく、前回算出の比Ｒａが遮断器１の起動後に算出されていない場合も含まれる。点滅制御部６０の駆動部６４は、比算出部６３によって新たに算出された比Ｒａに応じた駆動信号Ｓｇを出力する（ステップＳ１８）。これにより、感度電流設定値Ｉｔｈに対する漏洩電流の実効値Ｉａの比Ｒａに基づいて、発光ダイオード５０が点滅される。なお、ステップＳ１７において新たに比Ｒａが算出された場合、図１５のフローチャートが再度実施される際には、新たに算出された比Ｒａが前回算出の比Ｒａとして取り扱われる。
【００５４】
駆動部４０のトリップ出力部４３は、漏洩電流の実効値Ｉａが感度電流設定値Ｉｔｈ以上であると判定された場合（ステップＳ１４：Ｙｅｓ）、トリガ回路４４へトリップ信号を出力する（ステップＳ１９）。これにより、引き外し装置２０が開閉機構部１０を作動して電路４を閉状態から開状態へ変更する。
【００５５】
点滅制御部６０の状態判定部６２は、ステップＳ１９の処理が行われた場合、または漏洩電流の実効値Ｉａがユーザ設定値Ｉｓｅｔ以上ではないと判定した場合（ステップＳ１５：Ｎｏ）、発光ダイオード５０が点滅中であるか否かを判定する（ステップＳ２０）。状態判定部６２は、発光ダイオード５０が点滅中であると判定した場合（ステップＳ２０：Ｙｅｓ）、駆動部６４による駆動信号Ｓｇの出力を停止させ、発光ダイオード５０の点滅を停止する（ステップＳ２１）。
【００５６】
遮断器１は、駆動部６４が前回算出の比Ｒａに応じた駆動信号の初回１セット分を出力中であると状態判定部６２によって判定された場合（ステップＳ１６：Ｙｅｓ）、ステップＳ１８の処理が終了した場合、発光ダイオード５０が点滅中ではないと判定した場合（ステップＳ２０：Ｎｏ）、またはステップＳ２１の処理が終了した場合、図１５に示す処理を終了する。なお、図１５に示す処理は、遮断器１が通電状態にある限り繰り返される。
【００５７】
次に、遮断器システム２００における情報処理装置１００について説明する。図１６は、実施の形態１にかかる情報処理装置の構成例を示す図である。図１６に示すように、実施の形態１にかかる情報処理装置１００は、撮像部１１０と、表示部１２０と、入力部１３０と、通信部１４０と、処理部１５０とを備える。情報処理装置１００は、例えば、スマートフォン、またはタブレットなどのモバイル機器である。また、情報処理装置１００は、サーバとクライアントとで構成されてもよい。この場合、処理部１５０の処理をクライアントではなくサーバで行うようにできるため、クライアント側での処理負荷を軽減することができる。それゆえ、処理能力が低いクライアントであっても使用することが可能となる。また、クライアントはモバイル機器に限るものではもちろんなく、例えば、通信機能付きデジタルカメラをクライアントとして用いてもよい。なお、情報処理装置１００は、コンピュータに相当することは言うまでもない。
【００５８】
撮像部１１０は、例えば、ＣＣＤ（Charge  Coupled  Device）イメージセンサまたはＣＭＯＳ（Complementary  Metal  Oxide  Semiconductor）イメージセンサなどの撮像素子と、レンズ等の光学系とを有する。撮像部１１０は、入力部１３０へのユーザの操作に従って、遮断器１を撮像することができる。表示部１２０は、例えば、ＬＣＤ（Liquid  Crystal  Display）または有機ＥＬ（ElectroLuminescence）ディスプレイである。
【００５９】
入力部１３０は、例えば、キーボード、マウス、キーパッド、またはタッチパネルなどを含み、情報処理装置１００のユーザによって操作される。通信部１４０は、例えば、ＬＡＮ（Local  Area  Network）またはＷＡＮ（Wide  Area  Network）などのネットワークに接続され、ネットワークを介して他の装置と通信することができる。
【００６０】
処理部１５０は、撮像部１１０によって撮像された画像に基づいて、電路４の漏洩電流の電流値を文字で表示部１２０に表示する処理を行う。かかる処理部１５０は、取得部１５１と、変換部１５２と、表示処理部１５３とを備える。
【００６１】
取得部１５１は、ユーザの入力部１３０への操作によって撮像部１１０で撮像された遮断器１の動画像の情報を撮像部１１０から取得する。かかる遮断器１の動画像の情報は、発光ダイオード５０が露出する特性表示エリア５８の動画像の情報を含む。変換部１５２は、取得部１５１によって取得された遮断器１の動画像の情報に基づいて、発光ダイオード５０の点滅状態を漏洩電流の電流値に変換する。表示処理部１５３は、変換部１５２によって変換された電流値を表示部１２０に表示する。
【００６２】
変換部１５２は、特性表示エリア５８の動画像の情報に基づき、発光ダイオード５０の点滅状態から、第１の点滅モード、第２の点滅モード、および第３の点滅モードのいずれの点滅モードでの点滅かを判定する。例えば、変換部１５２は、ヘッダがない場合、発光ダイオード５０の点滅が第１の点滅モードの点滅であると判定することができる。また、変換部１５２は、ヘッダがある場合、ヘッダの種類によって発光ダイオード５０の点滅が第２の点滅モードの点滅であるか第３の点滅モードの点滅であるかを判定することができる。
【００６３】
変換部１５２は、判定した点滅モードに基づいて、発光ダイオード５０の点滅状態から比Ｒａを判定する。例えば、変換部１５２は、判定した点滅モードが第１の点滅モードである場合、期間Ｔ１における発光ダイオード５０の点灯期間と点滅期間との比を比Ｒａにする。
【００６４】
また、変換部１５２は、判定した点滅モードが第２の点滅モードである場合、時間ｔ９〜ｔ１５における発光ダイオード５０の点滅状態を７桁の２進数の情報へ変換する。第２の点滅モードにおいて、撮像部１１０の撮像タイミングと発光ダイオード５０の点滅タイミングとにずれがある場合などにおいて、発光ダイオード５０の点灯を精度よく検出できない可能性がある。
【００６５】
そのため、実施の形態１にかかる遮断器１では、期間Ｔａ１が撮像部１１０のフレームレートの３倍以上に設定されている。図１７は、実施の形態１にかかる第２の点滅モードにおける点滅パターンと撮像部の撮像結果との関係を説明するための図であり、期間Ｔａ１が撮像部１１０の３フレーム分である場合の例を示す。なお、図１７では、発光ダイオード５０をＬＥＤと記載している。また、撮像部１１０のフレームレートは、例えば、３０ｆｐｓであり、期間Ｔａ１は、例えば、１００ｍｓである。フレーム番号は、撮像部１１０から出力される撮像画像のフレーム番号を示す。
【００６６】
図１７に示す第１のケースでは、撮像部１１０による撮像画像の３フレーム分の期間と発光ダイオード５０の点滅の単位期間である期間Ｔａ１とが一致している。そのため、変換部１５２は、フレーム番号が４から１８までのフレームで連続して発光ダイオード５０が点灯していることを判定することができる。
【００６７】
また、図１７に示す第２のケースおよび第３のケースでは、各期間Ｔａ１において、発光ダイオード５０が途中で点灯または消灯するフレームが存在するため、かかるフレームでは発光ダイオード５０の点灯が検出できない場合がある。そこで、変換部１５２は、各期間Ｔａ１において、期間Ｔａ１において連続する２つ以上のフレームで発光ダイオード５０の点灯が検出できる場合、期間Ｔａ１で発光ダイオード５０が点灯していると判定する。これにより、変換部１５２は、ヘッダを精度よく判定することができる。
【００６８】
また、変換部１５２は、データについても同様に、各期間Ｔａ１において、期間Ｔａ１において連続する２つ以上のフレームで発光ダイオード５０の点灯が検出できる場合、期間Ｔａ１で発光ダイオード５０が点灯していると判定する。これにより、変換部１５２は、データを精度よく判定することができる。
【００６９】
変換部１５２は、判定した点滅モードが第３の点滅モードである場合、時間ｔ５〜ｔ１４における発光ダイオード５０の点滅状態を１０の位の値へ変換し、時間ｔ１７〜ｔ２６における発光ダイオード５０の点滅状態を１の位の値へ変換する。
【００７０】
第３の点滅モードでは、第２の変換モードの場合と同様に、各期間Ｔａ２において、発光ダイオード５０が途中で点灯または消灯するフレームでは発光ダイオード５０の点灯が検出できない場合がある。そこで、変換部１５２は、ヘッダにおける各期間Ｔａ２において、期間Ｔａ２において連続する２つ以上のフレームで発光ダイオード５０の点灯が検出できる場合、期間Ｔａ２で発光ダイオード５０が点灯していると判定する。これにより、変換部１５２は、ヘッダを精度よく判定することができる。なお、期間Ｔａ２の長さは期間Ｔａ１の長さと同じである。
【００７１】
また、遮断器１において、第３の点滅モードの場合、データの点滅パターンが図１４に示すように設定されているため、変換部１５２は、第３の点滅モードにおいて、データの点滅パターンを比Ｒａへ精度よく変換することができる。図１８は、実施の形態１にかかる第３の点滅モードにおけるデータの点滅パターンと撮像部の撮像結果との関係を説明するための図である。なお、図１８では、発光ダイオード５０をＬＥＤと記載している。
【００７２】
図１８において、第１のケースは、撮像部１１０による撮像画像の１フレームの期間と発光ダイオード５０の点滅の単位期間が一致しており、第２のケースでは、撮像部１１０による撮像画像の１フレームの期間と発光ダイオード５０の点滅の単位期間とがずれている。なお、撮像部１１０のフレームレートは、例えば、３０ｆｐｓであり、期間Ｔａ３は、例えば、３３．３ｍｓである。
【００７３】
図１８に示すように、比Ｒａが「８８％」の場合の第１のケースおよび第２のケースではいずれも１０の位において、フレーム番号が１から９までのフレームで連続して発光ダイオード５０が点灯しているが、変換部１５２は、フレーム番号が１のフレームを無視する。そして、変換部１５２は、フレーム番号が２から９までの８つのフレームで連続して発光ダイオード５０が点灯しているため、１０の位の値が「８」であると判定する。
【００７４】
また、比Ｒａが「８８％」の場合の第１のケースおよび第２のケースではいずれも１の位において、フレーム番号が１３から２１までのフレームで連続して発光ダイオード５０が点灯しているが、変換部１５２は、フレーム番号が１のフレームを無視する。変換部１５２は、フレーム番号が１４から２１までの８つのフレームで連続して発光ダイオード５０が点灯しているため１の位の値が「８」であると判定することができる。
【００７５】
また、変換部１５２は、比Ｒａが「１１％」の場合、比Ｒａが「８８％」の場合と同様に、フレーム番号が１のフレームと１３のフレームとを無視する。比Ｒａが「１１％」の場合の第１のケースおよび第２のケースではいずれも１０の位において、フレーム番号が２のフレームで発光ダイオード５０が点灯している。そのため、変換部１５２は、１０の位の値が「１」であると判定することができる。
【００７６】
また、比Ｒａが「１１％」の場合の第１のケースおよび第２のケースではいずれも１の位において、フレーム番号が１４のフレームで発光ダイオード５０が点灯している。そのため、変換部１５２は、１の位の値が「１」であると判定することができる。
【００７７】
このように、変換部１５２は、フレーム番号が１のフレームと１３のフレームとを無視することによって、比Ｒａを精度よく検出することができる。
【００７８】
上述した遮断器１の特性表示エリア５８には、感度電流設定値Ｉｔｈを示す文字が付されている。かかる特性表示エリア５８は、撮像部１１０によって発光ダイオード５０の点滅状態が撮像される際に撮像される。変換部１５２は、撮像部１１０から出力される画像の情報に基づいて、感度電流設定値Ｉｔｈを検出することができる。そして、変換部１５２は、検出した感度電流設定値Ｉｔｈに基づいて、比Ｒａを漏洩電流の電流値へ変換することができる。
【００７９】
図１９は、実施の形態１にかかる遮断器の特性表示エリアの一例を示す図である。図１９に示すように、本体カバー７２の特性表示エリア５８には、感度電流設定値Ｉｔｈを示す文字を示す感度電流設定値表示領域７３が設けられる。
【００８０】
感度電流設定値表示領域７３は、感度切替スイッチ５３のツマミ５３ａが移動可能な複数の位置の各々に対応して感度電流設定値Ｉｔｈを示す文字が印刷などによって配置されている。図１９に示す例では、感度電流設定値Ｉｔｈを示す文字として、「５００ｍＡ」、「３００ｍＡ」、および「１００ｍＡ」の文字が感度電流設定値表示領域７３に配置されている。また、図１９に示す例では、感度切替スイッチ５３のツマミ５３ａは、「１００ｍＡ」に対応する位置にある。
【００８１】
ここで、比Ｒａが「５０％」であり、感度電流設定値表示領域７３が図１９に示す状態であるとする。また、撮像部１１０によって、発光ダイオード５０、感度切替スイッチ５３、および感度電流設定値表示領域７３を含む領域７６が撮像されたとする。この場合、変換部１５２は、撮像部１１０から出力される画像の情報に基づいて、ツマミ５３ａの位置と、ツマミ５３ａの位置に対応する文字とから、感度電流設定値Ｉｔｈとして「１００ｍＡ」を検出する。変換部１５２は、比Ｒａが「５０％」であり、感度電流設定値Ｉｔｈが「１００ｍＡ」であることから、漏洩電流の電流値が「５０ｍＡ」であると判定する。
【００８２】
また、特性表示エリア５８には、遮断器１の出荷試験時において得られた遮断器１の特性精度が２次元コード化された情報を表示するコード情報表示領域が含まれていてもよい。図２０は、実施の形態１にかかる遮断器の特性表示エリアの他の例を示す図である。図２０に示す特性表示エリア５８では、感度電流設定値表示領域７３に加え、コード情報表示領域７４が含まれる。
【００８３】
コード情報表示領域７４には、遮断器１の出荷試験時において得られた遮断器１の特性精度および遮断器１の仕様などが２次元コード化された２次元コード情報が印刷などによって配置される。遮断器１の特性精度は、例えば、検出部３０による漏洩電流の検出誤差を含む。遮断器１の仕様は、例えば、定格電圧、定格電流、および遮断器１の製造番号などの情報を含む。
【００８４】
ここで、コード情報表示領域７４に含まれる特性精度の情報として、検出部３０の検出誤差が−５％であることを示す情報が含まれているとする。また、比Ｒａが「５０％」であり、感度電流設定値Ｉｔｈが「１００ｍＡ」であるとする。また、撮像部１１０によって、発光ダイオード５０、感度切替スイッチ５３、感度電流設定値表示領域７３、およびコード情報表示領域７４を含む領域７７が撮像されたとする。この場合、変換部１５２は、コード情報表示領域７４の画像の情報に基づいて、検出部３０の検出誤差が「−５％」であると判定し、「５０ｍＡ」に「１．０５」を掛けることで、誤差補正後の漏洩電流の電流値が「５２．５ｍＡ」であると判定する。
【００８５】
なお、図２０に示す特性表示エリア５８のうち感度電流設定値表示領域７３を含まない構成であってもよい。この場合、コード情報表示領域７４の２次元コード情報には、感度切替スイッチ５３によって切り替え可能な複数の感度電流設定値Ｉｔｈの情報が２次元コード化された情報が含まれる。変換部１５２は、コード情報表示領域７４の２次元コード情報から感度切替スイッチ５３によって切り替え可能な複数の感度電流設定値Ｉｔｈの情報を得ることができる。変換部１５２は、複数の感度電流設定値Ｉｔｈの各々に対する漏洩電流の電流値を判定することができる。
【００８６】
例えば、比Ｒａが「５０％」であり、検出部３０の検出誤差が「−５％」であるとする。この場合、変換部１５２は、感度電流設定値Ｉｔｈが「１００ｍＡ」である場合の漏洩電流の電流値として「５２．５ｍＡ」を算出し、感度電流設定値Ｉｔｈが「３００ｍＡ」である場合の漏洩電流の電流値として「１５７．５ｍＡ」を算出する。また、変換部１５２は、感度電流設定値Ｉｔｈが「５００ｍＡ」である場合の漏洩電流の電流値として「２６２．５ｍＡ」を算出することができる。
【００８７】
上述した例では、遮断器１に感度切替スイッチ５３が設けられる例を説明したが、遮断器１は、感度切替スイッチ５３を設けない構成であってもよい。この場合、感度電流設定値表示領域７３には、一つの感度電流設定値Ｉｔｈを示す文字が表示される。図２１は、実施の形態１にかかる遮断器に感度切替スイッチが設けられていない場合における特性表示エリアの一例を示す図である。図２２は、実施の形態１にかかる遮断器に感度切替スイッチが設けられていない場合における特性表示エリアの他の例を示す図である。
【００８８】
図２１に示す例では、特性表示エリア５８の感度電流設定値表示領域７３には、漏洩電流の電流値として「３０ｍＡ」の文字が印刷などによって配置されている。ここで、比Ｒａが「５０％」であり、感度電流設定値表示領域７３が図２１に示す状態であるとする。この場合、変換部１５２は、撮像部１１０から出力される画像の情報に基づいて、感度電流設定値Ｉｔｈとして「３０ｍＡ」を検出する。変換部１５２は、比Ｒａが「５０％」であり、感度電流設定値Ｉｔｈが「３０ｍＡ」であることから、漏洩電流の電流値が「１５ｍＡ」であると判定することができる。
【００８９】
図２２に示す特性表示エリア５８では、遮断器１の感度電流設定値Ｉｔｈ、特性精度、および仕様などが２次元コード化された２次元コード情報を表示するコード情報表示領域７５が印刷などによって配置されている。変換部１５２は、コード情報表示領域７５の画像の情報に基づいて、遮断器１の感度電流設定値Ｉｔｈおよび検出部３０の検出誤差を判定することができる。
【００９０】
ここで、コード情報表示領域７５に含まれる感度電流設定値Ｉｔｈの情報が３０ｍＡを示し、検出部３０の検出誤差の情報が「＋１０％」を示すとする。また、比Ｒａが「５０％」であるとする。この場合、変換部１５２は、感度電流設定値表示領域７３の画像の情報に基づいて、感度電流設定値Ｉｔｈが「３０ｍＡ」であり且つ検出部３０の検出誤差が「−５％」であると判定する。そして、変換部１５２は、「１５ｍＡ」に「０．９０」を掛けることで、漏洩電流の電流値が「１３．５ｍＡ」であると判定する。
【００９１】
なお、変換部１５２は、コード情報表示領域７５に含まれる２次元コード情報を文字情報に変換することによって、遮断器１の仕様の情報を取得することができる。
【００９２】
図１６に戻って情報処理装置１００の処理部１５０の説明を続ける。処理部１５０の表示処理部１５３は、変換部１５２によって得られた漏洩電流の電流値を表示部１２０に表示する。図２３は、実施の形態１にかかる情報処理装置の表示部の表示画面の一例を示す図である。図２４は、実施の形態１にかかる情報処理装置の表示部の表示画面の他の例を示す図である。なお、図２４において、「設定値」は、定格感度電流値を示し、「測定値」は、遮断器１の検出部３０で検出される漏洩電流の電流値を示す。
【００９３】
図２３に示すように、表示画面１６０には、遮断器１の製造番号、漏洩電流の電流値、および定格感度電流値が表示される。定格感度電流値は、感度電流設定値Ｉｔｈである。図２３に示す表示画面１６０では、漏洩電流の電流値が「５０ｍＡ」であり、感度電流設定値Ｉｔｈが「１００ｍＡ」であることが示されている。
【００９４】
また、図２４に示す表示画面１６０では、遮断器１の製造番号、比Ｒａ、および各定格感度電流値に対する漏洩電流の電流値が示されている。具体的には、図２４に示す表示画面１６０では、比Ｒａが「５０％」であり、感度電流設定値Ｉｔｈが「１００ｍＡ」である場合の漏洩電流の電流値が「５０ｍＡ」であることが示されている。また、図２４に示す表示画面１６０では、感度電流設定値Ｉｔｈが「３００ｍＡ」である場合の漏洩電流の電流値が「１５０ｍＡ」であり、感度電流設定値Ｉｔｈが「５００ｍＡ」である場合の漏洩電流の電流値が「２５０ｍＡ」であることが示されている。情報処理装置１００のユーザは、図２４に示す表示画面１６０と遮断器１の感度切替スイッチ５３のツマミ５３ａの位置とを確認することで、漏洩電流の電流値を把握することができる。
【００９５】
なお、変換部１５２は、遮断器１の製造番号などに基づいて、遮断器１の特性表示エリア５８の構成を判定し、判定した結果に基づき、発光ダイオード５０の点滅状態を漏洩電流の電流値へ変換することができる。例えば、変換部１５２は、２次元コード情報で特定される遮断器１の製造番号に基づいて、遮断器１の特性表示エリア５８が図２０に示す状態であるか図２２に示す状態であるかを判定することができる。
【００９６】
また、上述した例では、撮像部１１０による１回の撮像で、発光ダイオード５０に加え、感度電流設定値表示領域７３、コード情報表示領域７４、またはコード情報表示領域７５などを撮像することができるが、撮像部１１０による撮像回数は２以上であってもよい。例えば、処理部１５０は、発光ダイオード５０の発光状態の撮像画像と、感度電流設定値表示領域７３、コード情報表示領域７４、またはコード情報表示領域７５の撮像画像とから漏洩電流の電流値を判定することもできる。
【００９７】
つづいて、情報処理装置１００の処理部１５０による処理を、フローチャートを用いて説明する。図２５は、実施の形態１にかかる情報処理装置の処理部による処理の一例を示すフローチャートである。
【００９８】
図２５に示すように、処理部１５０の取得部１５１は、撮像部１１０から動画像の情報を取得する（ステップＳ３１）。処理部１５０の変換部１５２は、取得部１５１によって取得された動画像の情報から比Ｒａを判定する（ステップＳ３２）。また、変換部１５２は、取得部１５１によって取得された動画像の情報から定格感度設定値を判定する（ステップＳ３３）。また、変換部１５２は、取得部１５１によって取得された動画像の情報から検出部３０の検出誤差を判定する（ステップＳ３４）。
【００９９】
変換部１５２は、ステップＳ３２で判定した比Ｒａと、ステップＳ３３で判定した定格感度設定値と、ステップＳ３４で判定した検出部３０の検出誤差とから、漏洩電流の電流値を算出する（ステップＳ３５）。処理部１５０の表示処理部１５３は、変換部１５２によって算出された漏洩電流の電流値を表示部１２０に表示し（ステップＳ３６）、図２５に示す処理を終了する。
【０１００】
図２６は、実施の形態１にかかる遮断器のマイクロコンピュータのハードウェア構成の一例を示す図である。図２６に示すように、マイクロコンピュータ５２は、プロセッサ１６１と、メモリ１６２と、インタフェース回路１６３とを備えるコンピュータを含む。
【０１０１】
プロセッサ１６１、メモリ１６２およびインタフェース回路１６３は、バス１６４によって互いにデータの送受信が可能である。ＡＤ変換器３２、点滅制御部６０の一部、およびトリップ出力部４３の一部は、インタフェース回路１６３によって実現される。プロセッサ１６１は、メモリ１６２に記憶されたプログラムを読み出して実行することによって、実効値算出部３３、比較部４１、感度電流値設定部４２、トリップ出力部４３、および点滅制御部６０の機能を実行する。プロセッサ１６１は、処理回路の一例であり、ＣＰＵ（Central  Processing  Unit）、ＤＳＰ（Digital  Signal  Processer）、およびシステムＬＳＩ（Large  Scale  Integration）のうち一つ以上を含む。
【０１０２】
メモリ１６２は、ＲＡＭ（Random  Access  Memory）、ＲＯＭ（Read  Only  Memory）、フラッシュメモリ、ＥＰＲＯＭ（Erasable  Programmable  Read  Only  Memory）、およびＥＥＰＲＯＭ（登録商標）（Electrically  Erasable  Programmable  Read  Only  Memory）のうち一つ以上を含む。また、メモリ１６２は、コンピュータが読み取り可能なプログラムが記録された記録媒体を含む。かかる記録媒体は、不揮発性または揮発性の半導体メモリ、磁気ディスク、フレキシブルメモリ、光ディスク、コンパクトディスク、およびＤＶＤ（Digital  Versatile  Disc）のうち一つ以上を含む。なお、マイクロコンピュータ５２は、ＡＳＩＣ（Application  Specific  Integrated  Circuit）およびＦＰＧＡ（Field  Programmable  Gate  Array）などの集積回路を含んでいてもよい。
【０１０３】
また、情報処理装置１００の処理部１５０は、図２６に示すハードウェア構成と同様のハードウェア構成を有する。取得部１５１の一部および表示処理部１５３の一部は、インタフェース回路１６３によって実現される。プロセッサ１６１は、メモリ１６２に記憶されたプログラムを読み出して実行することによって、取得部１５１、変換部１５２、および表示処理部１５３の機能を実行する。なお、処理部１５０は、ＡＳＩＣおよびＦＰＧＡなどの集積回路を含んでいてもよい。
【０１０４】
また、実施の形態１では、遮断器１が一つの発光ダイオード５０を有する場合を説明したが、これは必ずしも発光ダイオード５０が部品として単一の場合に限定されるわけではない。例えば、比Ｒａに基づき発光ダイオード５０が点滅する場合に、部品として２つの発光ダイオードが点滅するようにしてもよい。つまり、一つの発光ダイオード５０は、例えば部品として２つの発光ダイオードを用いたとしても、一まとまりで発光ダイオード５０として機能するものであればよい。
【０１０５】
なお、図３〜図２５での説明では、遮断器１が漏電遮断器である場合の例を説明したが、遮断器１は、漏電を検出しない過電流遮断器であってもよい。図２７は、実施の形態１にかかる遮断器の具体的構成の他の例を示すブロック図である。以下においては、図１０に示す遮断器１と同様の機能を有する構成要素については同一符号を付して説明を省略し、図１０に示す遮断器１と異なる点を中心に説明する。
【０１０６】
図２７に示す遮断器１は、零相変流器３１に代えて、変流器３１ａ，３１ｂ，３１ｃおよび整流回路３４を備える点で、図１０に示す遮断器１と異なる。変流器３１ａ，３１ｂ，３１ｃは、３相の通電電流に正比例する電流信号を出力する。例えば、変流器３１ａは、Ｕ相の通電電流に正比例する電流信号を出力し、変流器３１ｂは、Ｖ相の通電電流に正比例する電流信号を出力し、変流器３１ｃは、Ｗ相の通電電流に正比例する電流信号を出力する。
【０１０７】
整流回路３４は、例えば、複数のダイオードおよび複数の抵抗を有しており、変流器３１ａ，３１ｂ，３１ｃからのアナログの電流信号をアナログの電圧信号へ変換する。ＡＤ変換器３２は、整流回路３４からのアナログの電圧信号をデジタル信号へ変換する。実効値算出部３３は、ＡＤ変換器３２から出力されるデジタル信号に基づいて電路４の通電電流の実効値Ｉｂを算出する。
【０１０８】
比較部４１は、実効値算出部３３で算出された通電電流の実効値Ｉｂと感度電流設定値Ｉｔｈとを比較する。トリップ出力部４３は、比較部４１による比較結果に基づいて、通電電流の実効値Ｉｂが感度電流設定値Ｉｔｈ以上である場合に、トリガ回路４４へトリップ信号を出力する。
【０１０９】
点滅制御部６０は、実効値算出部３３で算出された通電電流の実効値Ｉｂに基づいて、発光ダイオード５０を点滅させる駆動信号Ｓｇを出力する。通電電流の実効値Ｉｂに基づく駆動信号Ｓｇの生成方法は、漏電電流の実効値Ｉａに基づく駆動信号Ｓｇの生成方法と同じである。すなわち、点滅制御部６０は、漏電電流の実効値Ｉａの場合と同様の処理によって、通電電流の実効値Ｉｂを用いて、駆動信号Ｓｇを出力することができる。なお、図２７に示す遮断器１のハードウェア構成は、図２６に示すハードウェア構成と同じである。
【０１１０】
情報処理装置１００の処理部１５０は、図２７に示す発光ダイオード５０の点滅状態を撮像部１１０によって撮像して得られる画像に基づいて、電路４の通電電流の電流値を文字で表示部１２０に表示する処理を行うことができる。図２７に示す遮断器１の特性表示エリアは、例えば、図１９〜図２２で説明した遮断器１の特性表示エリア５８と同じである。撮像部１１０によって撮像して得られる画像から電路４の通電電流の電流値を得る方法は、撮像部１１０によって撮像して得られる画像から電路４の漏電電流の電流値を得る方法と同様である。
【０１１１】
以上のように、実施の形態１にかかる遮断器１は、開閉機構部１０と、引き外し装置２０と、検出部３０と、駆動部４０と、本体ケース７０と、発光ダイオード５０と、点滅制御部６０とを備える。開閉機構部１０は、電路４を開閉する。引き外し装置２０は、開閉機構部１０を作動させる。検出部３０は、電路４の漏洩電流または通電電流の電流値を検出する。駆動部４０は、検出部３０の検出結果に基づいて、引き外し装置２０を駆動する。本体ケース７０は、開閉機構部１０、引き外し装置２０、検出部３０、および駆動部４０を覆う。発光ダイオード５０は、本体ケース７０の外部から見える位置に配置される。点滅制御部６０は、検出部３０によって検出された電流値に基づいて、発光ダイオード５０を点滅させる。これにより、漏洩電流または通電電流の検出値を表示するスペースを小さくすることができる。
【０１１２】
また、点滅制御部６０は、検出部３０によって検出された電流値の感度電流設定値Ｉｔｈに対する比Ｒａを算出する比算出部６３と、比算出部６３によって算出された比Ｒａに基づいて、発光ダイオード５０を点滅させる駆動部６４とを備える。これにより、比Ｒａに基づいて発光ダイオード５０を点滅させることにより、感度電流設定値Ｉｔｈが異なる場合であっても、同一の形式で発光ダイオード５０を点滅させることができる。
【０１１３】
また、点滅制御部６０は、ユーザによって設定されたユーザ設定値Ｉｓｅｔを記憶する記憶部６１と、検出部３０によって検出された電流値がユーザ設定値Ｉｓｅｔ以上であるか否かを判定する状態判定部６２とを備える。駆動部４０は、状態判定部６２によって検出部３０によって検出された電流値がユーザ設定値Ｉｓｅｔ以上であると判定された場合に、比算出部６３によって算出された比Ｒａに基づいて、発光ダイオード５０を点滅させる。これにより、検出部３０によって検出された電流値がユーザ設定値Ｉｓｅｔ以上である場合に限り、発光ダイオード５０が点滅する。そのため、漏洩電流または通電電流が確認する必要がないほど小さい場合において、発光ダイオード５０の点滅を抑制することができる。また、検出部３０によって検出された電流値がユーザ設定値Ｉｓｅｔ以上である場合に発光ダイオード５０が点滅することで、ユーザにユーザ設定値Ｉｓｅｔ以上の漏洩電流または通電電流が発生したことを知せることができ、警報の機能を兼ねさせることができる。
【０１１４】
また、点滅制御部６０は、感度電流設定値Ｉｔｈと電流値との比である比Ｒａを発光ダイオード５０の点灯時間と消灯時間との比として、発光ダイオード５０を点滅させる。これにより、感度電流設定値Ｉｔｈに対する漏洩電流または通電電流の大きさを目視によって直感的に把握することができる。
【０１１５】
また、点滅制御部６０は、引き外し装置２０による開閉機構部１０の作動によって電路４が遮断された状態では、発光ダイオード５０の点滅を行わない。これにより、遮断器１がオフ状態における遮断器１の消費電力を低減することができる。
【０１１６】
また、遮断器システム２００は、遮断器１と、情報処理装置１００とを備える。情報処理装置１００は、撮像部１１０と、変換部１５２と、表示処理部１５３とを備える。変換部１５２は、撮像部１１０による発光ダイオード５０の撮像結果に基づいて、発光ダイオード５０の点滅状態を漏洩電流の電流値または通電電流の電流値に変換する。表示処理部１５３は、変換部１５２によって変換された電流値を表示部１２０に表示する。これにより、漏洩電流の電流値または通電電流の電流値を容易に把握することができる。
【０１１７】
また、本体ケース７０の特定部分には、感度電流設定値Ｉｔｈを示す文字、またはコード化された感度電流設定値Ｉｔｈの情報を含む２次元コードが付されている。本体ケース７０の特定部分は、例えば、図１９に示す領域７６または図２０に示す領域７７などである。変換部１５２は、撮像部１１０によって本体ケース７０の特定部分が撮像された場合、撮像部１１０による１回の撮像結果に基づいて、感度電流設定値Ｉｔｈを判定する。変換部１５２は、判定した感度電流設定値Ｉｔｈに基づいて、発光ダイオード５０の点滅状態を漏洩電流の電流値または通電電流の電流値に変換する。これにより、本体ケース７０の特定部分を撮像するだけで、発光ダイオード５０の点滅状態を漏洩電流の電流値または通電電流の電流値に変換することができる。そのため、情報処理装置１００のユーザは、例えば、感度電流設定値Ｉｔｈを情報処理装置１００へ入力する手間を省くことができる。
【０１１８】
また、本体ケース７０の特定部分は、撮像部１１０によって発光ダイオード５０と同時に撮像可能な位置に配置される。これにより、情報処理装置１００のユーザは、異なる位置で別々に撮像する必要がなく、情報処理装置１００のユーザの手間を抑えることができる。
【０１１９】
また、本体ケース７０の特定部分には、感度切替スイッチ５３のツマミ５３ａと感度切替スイッチ５３のツマミ５３ａが移動可能な複数の位置の各々に対応して感度電流設定値Ｉｔｈを示す文字とが配置されている。変換部１５２は、撮像部１１０によって特定部分が撮像された場合、感度切替スイッチ５３のツマミ５３ａの位置に基づいて、感度電流設定値Ｉｔｈを判定する。これにより、感度切替スイッチ５３がある場合であっても、漏洩電流または通電電流の電流値を精度よく把握することができる。
【０１２０】
また、２次元コードには、遮断器１の出荷試験時に測定された遮断器１の特性精度を示すコード化された情報が含まれている。変換部１５２は、撮像部１１０によって特定部分が撮像された場合、コード化された特性精度を示す情報に基づいて、遮断器１の特性精度を判定し、判定した特性精度に基づく誤差補正を行った漏洩電流の電流値または通電電流の電流値を算出する。これにより、漏洩電流または通電電流の電流値を精度よく把握することができる。
【０１２１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１２２】
１  遮断器、２  電源、３  負荷、４  電路、１０  開閉機構部、１１  固定接点、１２  可動接点、１３  ハンドル、１４  電源側接続端子、１５  負荷側接続端子、１６  トリップバー、１７  過電流引き外し装置、２０  引き外し装置、２１  アクチュエータ、２２  引き外しリレー、３０  検出部、３１  零相変流器、３１ａ，３１ｂ，３１ｃ  変流器、３２  ＡＤ変換器、３３  実効値算出部、３４  整流回路、４０，６４  駆動部、４１  比較部、４２  感度電流値設定部、４３  トリップ出力部、４４  トリガ回路、５０  発光ダイオード、５１  抵抗、５２  マイクロコンピュータ、５３  感度切替スイッチ、５３ａ，５４ａ  ツマミ、５４  動作時間切替スイッチ、５５  テストボタン、５６  漏電表示ボタン、５７，１３０  入力部、５８  特性表示エリア、６０  点滅制御部、６１  記憶部、６２  状態判定部、６３  比算出部、７０  本体ケース、７１  本体ベース、７２  本体カバー、７２ａ，７２ｂ，７２ｃ，８２ａ，８２ｂ  開口、７３  感度電流設定値表示領域、７４，７５  コード情報表示領域、７６，７７  領域、８０  漏電検出回路ユニット、８１  ユニットベース、８２  ユニットカバー、８３  ユニットケース、８４  電子回路部、８５  プリント配線基板、９０  電源回路、１００  情報処理装置、１１０  撮像部、１２０  表示部、１４０  通信部、１５０  処理部、１５１  取得部、１５２  変換部、１５３  表示処理部、１６０  表示画面、２００  遮断器システム、Ｉａ  実効値、Ｉｓｅｔ  ユーザ設定値、Ｉｔｈ  感度電流設定値、Ｒａ  比。
【図１】
2020240754.tif 000003
【図２】
2020240754.tif 000004
【図３】
2020240754.tif 000005
【図４】
2020240754.tif 000006
【図５】
2020240754.tif 000007
【図６】
2020240754.tif 000008
【図７】
2020240754.tif 000009
【図８】
2020240754.tif 000010
【図９】
2020240754.tif 000011
【図１０】
2020240754.tif 000012
【図１１】
2020240754.tif 000013
【図１２】
2020240754.tif 000014
【図１３】
2020240754.tif 000015
【図１４】
2020240754.tif 000016
【図１５】
2020240754.tif 000017
【図１６】
2020240754.tif 000018
【図１７】
2020240754.tif 000019
【図１８】
2020240754.tif 000020
【図１９】
2020240754.tif 000021
【図２０】
2020240754.tif 000022
【図２１】
2020240754.tif 000023
【図２２】
2020240754.tif 000024
【図２３】
2020240754.tif 000025
【図２４】
2020240754.tif 000026
【図２５】
2020240754.tif 000027
【図２６】
2020240754.tif 000028
【図２７】
2020240754.tif 000029
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
電路を開閉する開閉機構部と、
前記開閉機構部を作動させる引き外し装置と、
前記電路の漏洩電流または通電電流の電流値を検出する検出部と、
前記検出部の検出結果に基づいて、前記引き外し装置を駆動する駆動部と、
前記開閉機構部、前記引き外し装置、前記検出部、および前記駆動部を覆う本体ケースと、
前記本体ケースの外部から見える位置に配置される一つの発光ダイオードと、
前記検出部によって検出された電流値に基づいて、前記一つの発光ダイオードを点滅させる点滅制御部と、を備え、
前記点滅制御部は、
前記検出部によって検出された電流値の感度電流設定値に対する比を算出する比算出部と、
前記比算出部によって算出された比に基づいて、前記一つの発光ダイオードを点滅させる駆動部と、を備える
ことを特徴とする遮断器。
【請求項２】
前記点滅制御部は、
ユーザによって設定されたユーザ設定値を記憶する記憶部と、
前記検出部によって検出された電流値が前記ユーザ設定値以上であるか否かを判定する状態判定部と、を備え、
前記駆動部は、
前記状態判定部によって前記検出部によって検出された電流値が前記ユーザ設定値以上であると判定された場合に、前記比算出部によって算出された比に基づいて、前記一つの発光ダイオードを点滅させる
ことを特徴とする請求項１に記載の遮断器。
【請求項３】
前記点滅制御部は、
前記感度電流設定値と前記電流値との比を前記一つの発光ダイオードの点灯時間と消灯時間との比として、前記一つの発光ダイオードを点滅させる
ことを特徴とする請求項１または２に記載の遮断器。
【請求項４】
前記点滅制御部は、
前記引き外し装置による前記開閉機構部の作動によって電路が遮断された状態では、前記一つの発光ダイオードの点滅を行わない
ことを特徴とする請求項１から３のいずれか一つに記載の遮断器。
【請求項５】
請求項１から４のいずれか一つに記載の遮断器と、
情報処理装置と、を備え、
前記情報処理装置は、
撮像部と、
前記撮像部による前記一つの発光ダイオードの撮像結果に基づいて、前記一つの発光ダイオードの点滅状態を前記漏洩電流の電流値または前記通電電流の電流値に変換する変換部と、
前記変換部によって変換された電流値を表示部に表示する表示処理部と、を備える
ことを特徴とする遮断器システム。
【請求項６】
請求項１から３のいずれか一つに記載の遮断器と、
情報処理装置と、を備え、
前記情報処理装置は、
撮像部と、
前記撮像部による前記一つの発光ダイオードの撮像結果に基づいて、前記一つの発光ダイオードの点滅状態を前記漏洩電流の電流値または前記通電電流の電流値に変換する変換部と、
前記変換部によって変換された電流値を表示部に表示する表示処理部と、を備え、
前記本体ケースの特定部分には、前記感度電流設定値を示す文字、またはコード化された前記感度電流設定値の情報を含む２次元コードが付されており、
前記変換部は、
前記撮像部によって前記特定部分が撮像された場合、前記撮像部による撮像結果に基づいて、前記感度電流設定値を判定し、判定した前記感度電流設定値に基づいて、前記一つの発光ダイオードの点滅状態を前記漏洩電流の電流値または前記通電電流の電流値に変換する
ことを特徴とする遮断器システム。
【請求項７】
前記特定部分は、前記撮像部によって前記一つの発光ダイオードと同時に撮像可能な位置に配置される
ことを特徴とする請求項６に記載の遮断器システム。
【請求項８】
前記特定部分には、感度切替スイッチのツマミと前記ツマミが移動可能な複数の位置の各々に対応して感度電流設定値を示す文字とが配置されており、
前記変換部は、
前記撮像部によって前記特定部分が撮像された場合、前記感度切替スイッチのツマミの位置に基づいて、前記感度電流設定値を判定する
ことを特徴とする請求項７に記載の遮断器システム。
【請求項９】
前記２次元コードには、前記遮断器の出荷試験時に測定された前記遮断器の特性精度を示すコード化された情報が含まれており、
前記変換部は、
前記撮像部によって前記特定部分が撮像された場合、前記コード化された特性精度を示す情報に基づいて、前記遮断器の特性精度を判定し、判定した特性精度に基づく誤差補正を行った前記漏洩電流の電流値または前記通電電流の電流値を算出する
ことを特徴とする請求項６から８のいずれか一つに記載の遮断器システム。
【請求項１０】
コンピュータが行う情報処理方法であって、
検出部によって検出された電路の漏洩電流または通電電流の電流値に基づいて一つの発光ダイオードを点滅させる遮断器の前記一つの発光ダイオードを含む領域を撮像部によって撮像された動画像の情報を取得する取得ステップと、
前記取得ステップで取得された動画像の情報に基づいて、前記一つの発光ダイオードの点滅状態を前記漏洩電流の電流値または前記通電電流の電流値に変換する変換ステップと、
前記変換ステップによって変換された電流値を表示する表示ステップと、を含む
ことを特徴とする情報処理方法。
【請求項１１】
検出部によって検出された電路の漏洩電流または通電電流の電流値に基づいて一つの発光ダイオードを点滅させる遮断器の前記一つの発光ダイオードを含む領域を撮像部によって撮像された動画像の情報を取得する取得ステップと、
前記取得ステップで取得された動画像の情報に基づいて、前記一つの発光ダイオードの点滅状態を前記漏洩電流の電流値または前記通電電流の電流値に変換する変換ステップと、
前記変換ステップによって変換された電流値を表示する表示ステップと、をコンピュータに実行させる
ことを特徴とする情報処理プログラム。
【手続補正２】
【補正対象書類名】明細書
【補正対象項目名】０００６
【補正方法】変更
【補正の内容】
【０００６】
上述した課題を解決し、目的を達成するために、本発明の遮断器は、開閉機構部と、引き外し装置と、検出部と、駆動部と、本体ケースと、一つの発光ダイオードと、点滅制御部とを備える。開閉機構部は、電路を開閉する。引き外し装置は、開閉機構部を作動させる。検出部は、電路の漏洩電流または通電電流の電流値を検出する。駆動部は、検出部の検出結果に基づいて、引き外し装置を駆動する。本体ケースは、開閉機構部、引き外し装置、検出部、および駆動部を覆う。一つの発光ダイオードは、本体ケースの外部から見える位置に配置される。点滅制御部は、検出部によって検出された電流値に基づいて、一つの発光ダイオードを点滅させる。点滅制御部は、比算出部と、駆動部とを備える。比算出部は、検出部によって検出された電流値の感度電流設定値に対する比を算出する。駆動部は、比算出部によって算出された比に基づいて、一つの発光ダイオードを点滅させる。
【手続補正３】
【補正対象書類名】明細書
【補正対象項目名】００７４
【補正方法】変更
【補正の内容】
【００７４】
また、比Ｒａが「８８％」の場合の第１のケースおよび第２のケースではいずれも１の位において、フレーム番号が１３から２１までのフレームで連続して発光ダイオード５０が点灯しているが、変換部１５２は、フレーム番号が１３のフレームを無視する。変換部１５２は、フレーム番号が１４から２１までの８つのフレームで連続して発光ダイオード５０が点灯しているため１の位の値が「８」であると判定することができる。
【手続補正４】
【補正対象書類名】図面
【補正対象項目名】図１４
【補正方法】変更
【補正の内容】
【図１４】
2020240754.tif 000030
【国際調査報告】
2020240754.tif 000031
2020240754.tif 000032
2020240754.tif 000033
2020240754.tif 000034